(57)【要約】【課題】低騒音で体圧分散性に優れ、設置や運転の費用が低い床ずれ防止マットを提供する。【課題解決手段】中空体構造の弾性体からなる複数の空気セル４と、空気セルに空気の給排気を行う千鳥状に配列された連通管２からなる複数の空気セル系統で構成され、空気セル系統には空気セルに前記連通管を介して空気の給排気を行う空気制御部３を備える床ずれ防止マットであり、中空体構造の弾性体からなる複数の空気セルは平面方向に並設した空気セル群として構成され、空気制御部は、コンプレッサ、空気セル系統に所定のタイミングで給排気を行うための電磁弁３４と、電磁弁を制御する電磁弁制御部３１とからなり、  空気セル群を連通した状態で、空気総量を任意に設定する手段と、前記手段により設定された空気総量の全部または任意に設定する一部の空気量を、一方の空気セル群から他方の空気セル群へ移送する手段を講じた床ずれ防止マットである。【選択図】図１
2018050749.tif 000002
【特許請求の範囲】
【請求項１】
中空体構造の弾性体からなる複数の空気セルと、前記空気セルに空気の給排気を行う千鳥状に配列された連通管からなる複数の空気セル系統で構成され、
前記空気セル系統に前記空気セルに前記連通管を介して空気の給排気を行う空気制御部を備える床ずれ防止マットであって、
前記中空体構造の弾性体からなる複数の空気セルは平面方向に並設した空気セル群として構成され、
前記空気制御部は、空気総量調整用コンプレッサと、空気セル系統に所定のタイミングで給排気を行うための電磁弁と、前記電磁弁を制御する電磁弁制御部とからなり、
前記空気セル群は、空気制御部からの指示により前記空気セル系統の空気総量を調整でき、かつ、空気セル系統への給気を、前記電磁弁制御部の指示による電磁弁の開閉により、コンプレッサまたは他の空気セル系統のいずれかに選択できる床ずれ防止マット。
【請求項２】
前記中空体構造の弾性体からなる複数の空気セルをコイルスプリング内に配設したことを特徴とする請求項１に記載した床ずれ防止マット。
【請求項３】
前記中空体構造の弾性体からなる空気セルの形状が螺旋形状、または該空気セルの側面を貫通する中空孔を設けた形状の、いずれかであることを特徴とする請求項１または請求項２のいずれかに記載した床ずれ防止マット。
【請求項４】
前記中空体構造の弾性体からなる空気セルは、前記弾性体にバネ機能を有する構造体を内包させて構成されたものであることを特徴とする請求項１乃至請求項３のいずれかに１つに記載した床ずれ防止マット。
【発明の詳細な説明】
【技術分野】
【０００１】
本発明は、医療機器、健康器具として用いる病人等の床ずれ防止マットに関する。
【背景技術】
【０００２】
ベッドの上で長期療養の必要がある病人や老人は、体が自由に動かせないため床ずれに悩まされている。床ずれは、体の背中部や腰部などの特定部位が長時間圧迫されて血行不良となるために発生し、床ずれが進行すると褥瘡となる。
【０００３】
床ずれを防ぐためには、ときどき寝返りをするなど、体重がかかる部分を移動させることが有効である。しかしながら、重病人や寝たきり老人は、自分自身で寝返りをすることが困難であるため、これを補助して床ずれを防止する必要がある。床ずれを防止するためには、体の支点を常に変えて、一点に体重による体圧が集中しないように体圧を分散させると供に、支点の位置を常に変更して体圧を分散する必要があり、このための床ずれ防止マットが提案されている（特許文献１〜４）。
【０００４】
特許文献１には、病人等の背中部や腰部を支持する支持棒を格子状や千鳥状に床ずれ防止装置の指示板に配設して、隣り合う支持棒または隣り合う列や行の支持棒を所定の間隔で交互に昇降駆動する床ずれ防止装置が開示されている。
【０００５】
特許文献２には、一側面を開口した凸状殻部を多数併設されたマットシートであって、凸状殻部の形状の異なるマットシートを成形材により上下で一体成型した空気セルにより、排気時でも変形しない、いわゆる腰のある空気セルを用いた床ずれ防止マットが開示されている。
【０００６】
特許文献３には、ポンプに接続された給排気自在の空気セルを多数設けた膨縮ゾーンの周囲に発泡材からなる非膨縮ゾーンを配設し、膨縮ゾーンがマットの上下方向においてを偏倚した位置に配設されるように、発泡材の膨縮ゾーンの上下方向の面積を変えた床ずれ防止マットが開示されている。
【０００７】
特許文献４には、ベッドの上面部と下面部との空間部を格子状に区画した単位領域（セル）に、セル本体内にモータとモータの出力を減速する減速装置と、減速したモータの回転運動を直線運動に変換する回転・直動変換器と、回転・直動変換器の出力軸に連結された荷重保持体と、荷重保持体に負荷される荷重を検出する荷重検出部と、を一体的にして設けてセル駆動体を構成して配設され、ベッドの使用時であって人が横臥していないときに、各駆動セル体を独立して抜き出し可能とし、かつ各荷重検出部からの荷重を入力し、組み込まれた予め定められた床ずれ防止モードに従って各モータの駆動制御を行う制御装置を設けた床ずれ防止装置が開示されている。
【先行技術文献】
【特許文献】
【０００８】
【特許文献１】特開２００４−０２４６５２号公報
【特許文献２】特開２００５−０００３５４号公報
【特許文献３】特開２００５−１１８１３０号公報
【特許文献４】特開２００５−１７６８９５号公報
【発明の開示】
【発明が解決しようとする課題】
【０００９】
本発明は、低騒音で体圧分散性に優れるため、重病人や寝たきり老人などの使用者（以下、「使用者」という。）の使用感を満足でき、設置や運転の費用が低いため、容易に設置できる床ずれ防止マットを提供することである。
【課題を解決するための手段】
【００１０】
本発明者らは、鋭意研究を重ねた結果、既存のベッドに設置可能で、中空体構造の弾性体からなる複数の空気セルを組み合わせた床ずれ防止マットを提供することで、上記課題を解決するに至った。具体的には、以下の態様により解決できる。
【００１１】
（態様１）  中空体構造の弾性体からなる複数の空気セルと、前記空気セルに空気の給排気を行う千鳥状に配列された連通管からなる複数の空気セル系統で構成され、前記空気セル系統に前記空気セルに前記連通管を介して空気の給排気を行う空気制御部を備える床ずれ防止マットであって、前記中空体構造の弾性体からなる複数の空気セルは平面方向に並設した空気セル群として構成され、前記空気制御部は、空気総量調整用コンプレッサと、空気セル系統に所定のタイミングで給排気を行うための電磁弁と、前記電磁弁を制御する電磁弁制御部とからなり、前記空気セル群は、空気制御部からの指示により前記空気セル系統の空気総量を調整でき、かつ、空気セル系統への給気を、前記電磁弁制御部の指示による電磁弁の開閉により、コンプレッサまたは他の空気セル系統のいずれかに選択できる床ずれ防止マットである。
【００１２】
空気セルが中空構造の弾性体で形成されており、空気の給排気時の空気セルの膨縮がほとんどなく、使用者の躰に空気セルがソフトに当たることとなって使用感が良くなる
また、空気セルを千鳥状に配列することにより、加減圧された空気セルが実質的に縦横交互に配設されるため、使用者の躰に空気セルがソフトに当たることとなって使用感が良くなる。さらには、空気総量に調整を行うことで、床ずれ防止マット全体のクッションの柔硬を調整することが可能となり、使用者の殆んどの要望を満たすことが可能となる。
さらにはまた、空気セル系統への給気を、コンプレッサからの給気だけではなく、他の空気セル系統からの給気によっても行えるため、コンプレッサの稼働を短くすることができて騒音を低減できる。また、他の空気セル系統の空気セルに充填された空気をすべて排出することがないため、空気セルの収縮が少ないため、使用感が良くなり、
使用者の躰に当たるセルを空気の給排気のみにより制御するため、セル内にモータ、モータ出力減速装置、回転・直動変換器などを設置する必要がないため騒音、保守費用が低減できる。
【００１３】
（態様２）  中空体構造の弾性体からなる複数の空気セルをコイルスプリング内に配設した（態様１）または（態様２）のいずれかに記載した床ずれ防止マットである。空気セルを稼働させないとき、あるいは、停電時などのように空気セルが稼働できないときは、床ずれ防止マットに内設されているコイルスプリングのみで、通常のマットとして使用することができるからである。
【００１４】
（態様３）  中空体構造の弾性体からなる空気セルの形状が螺旋構造、または該空気セルの側面を貫通する中空孔を設けた形状、のいずれかであることを特徴とする（態様１）乃至（態様３）のいずれか１つに記載した床ずれ防止マットである。中空構造の弾性体を螺旋構造とすることで弾性体自体の変形に加えて、螺旋構造の変形によりクッション性に相乗効果が生じて、床ずれ防止マットの使用感が高まるからである。同様に、空気セルの側面を貫通する中空孔を設けた形状においても、弾性体自体の変形に加えて、貫通する中空孔の変形によりクッション性に相乗効果が生じて、床ずれ防止マットの使用感が高まるからである。
【００１５】
（態様４）  中空体構造の弾性体からなる空気セルは、弾性体にバネ機能を有する構造体を内包させて構成されたものであることを特徴とする（態様１）乃至（態様４）のいずれかに１つに記載した床ずれ防止マットである。マットの底付き感を無くすためと、停電時においても最低限のクッション性を有するためのものでる。弾性体にバネ機能を有する構造体を内包させて構成された中空体構造の弾性体からなる空気セルとすることで、クッション性が向上して使用感が高まるからである。
【発明の効果】
【００１６】
空気セルを千鳥状に配列することにより、加減圧された空気セルが実質的に縦横交互に配設され、且つ、空気総量を調整することができることで、空気セルのクッション性に対するほとんどの使用感を満足させることができる。
また、空気セルが中空構造の弾性体で形成されており、空気の給排気時の空気セルの膨縮がほとんどなく、使用者の躰に空気セルがソフトに当たることとなって使用感が良くなる。さらには、使用者の躰に当たるセルを空気の給排気のみにより制御するため、セル内にモータ、モータ出力減速装置、回転・直動変換器などを設置する必要がないため騒音、保守費用が低減できる。
空気セル系統への給気を、コンプレッサからの給気だけではなく、他の空気セル系統からの給気によっても行えるため、コンプレッサの稼働を短くすることができて騒音を低減できる。また、他の空気セル系統の空気セルに充填された空気をすべて排出することがないため、空気セルの収縮が少ないため、使用感が良くなる。
中空構造の弾性体を螺旋構造とすることで弾性体自体の変形に加えて、螺旋構造の変形によりクッション性に相乗効果が生じて、床ずれ防止マットの使用感が高まる。同様に、空気セルの側面を貫通する中空孔を設けた形状においても、弾性体自体の変形に加えて、貫通する中空孔の変形によりクッション性に相乗効果が生じて、床ずれ防止マットの使用感が高まる。
【図面の簡単な説明】
【００１７】
【図１】本発明の床ずれ防止マットの基本構成を示す側面図である。
【図２】本発明の床ずれ防止マットの構成要素である空気セルを配設したコイルスプリングの説明図である。
【図３】本発明の床ずれ防止マットの構成要素である空気セルの代表的な形態を示す模式図である。
【図４】本発明の床ずれ防止マットの構成要素である螺旋管状形態の空気セルの作用を示す模式図である。
【図５】本発明の床ずれ防止マットの構成要素である連通管の床ずれ防止マットにおける配置を示す模式図である。
【図６】本発明の床ずれ防止マットの構成要素である連通管の空気セルとの連結部の構造を示す模式図である。
【図７】本発明の床ずれ防止マットの空気制御２ラインの基本構成を示す模式図である。
【図８】本発明の床ずれ防止マットの空気制御２ラインの第１の実施態様での稼働フローを示す模式図１である。
【図９】本発明の床ずれ防止マットの空気制御２ラインの第２の実施態様での稼働フローを示す模式図である。
【図１０】本発明の床ずれ防止マットの空気制御２ラインの第３の実施態様での稼働フローを示す模式図である。
【発明を実施するための形態】
【００１８】
本発明を実施するための形態を図面により、以下に説明する。なお、本発明の上記特徴（態様１）から（態様５）を備えるものであれば良く、実施形態に限定されるものではない。
【００１９】
図１は、本発明の床ずれ防止マットの基本構成を示す側面図である。床ずれ防止マット１は、複数の空気セル４が平面方向に並設された床ずれ防止マット本体６と、空気セル４に空気の給排気を行うための空気制御部３と連通管２により構成されている。床ずれ防止マット本体６は、架台５に載置されている。ただし、床ずれ防止マット本体６は、必ずしも架台５に載置する必要はない。
【００２０】
図２は、本発明の床ずれ防止マット１の構成要素である空気セル４をコイルスプリング４１に配設したコイルスプリング配設空気セル４２について模式的に説明した説明図である。寝具として利用されているベットマットのコイルスプリング４１に本発明の空気セル４を組み込むことで、コイルスプリング配設空気セル４２とすることができる。この態様により、床ずれ防止機能を発揮させないときは、通常のベットマットとして使うことができ、停電時など空気セルの稼働を停止せざるをえないときにも、通常のベットマットとしての最低限の機能を果たすことができるため、使用者の負担を軽減することができる。
【００２１】
本発明の空気セル４は、中空構造の弾性体で構成されている。中空構造としているのは、中空構造の内部に空気制御部３から給排気される空気を保持するためであり、素材を弾性体とするのは、空気圧負荷に対して柔軟に変形し、除荷後に容易に復元できる素材であることが必要だからである。
【００２２】
弾性素材としては、ゴム系材料と熱可塑性エラストマとがある。ゴム系材料には、天然ゴム、ジエン系ゴム、非ジエン系ゴムがあり、ジエン系ゴムとしては、スチレンブタジエンゴムが、耐摩耗性と耐老化性に優れる点で有利であり、ブタジエンゴムが、弾性、耐摩耗性に優れる点で好適である。非ジエン系ゴムの中でも、ブチルゴムは、耐候性と耐薬品性が良好であり、ウレタンゴムは、力学的強度が大きい点で好ましい。熱可塑性エラストマは、ゴムの有する柔軟性と弾性回復性を有するとともに、熱可塑性を有するため、加工が容易であり、リサイクル性があるため好適である。熱可塑性エラストマには、塩ビ系、スチレン系、オレフィン系、エステル系、ウレタン系等がある。これらの中で、スチレン系熱可塑性エラストマは、加硫ゴムに特性が近く、高弾性で、シットリとした触感があり、耐摩耗性に優れる点で好ましい。また、オレフィン系熱可塑性エラストマは、劣化しにくく、柔軟性、成形性に優れる点で有利である。
【００２３】
空気セル４の形態については、代表的な形態（タイプＩ〜Ｖ）を図３に示す。形態としては、タマゴ形（タイプＩ）、洋ナシ形（タイプＩＩ，ＩＩＩ）のような球状型と、螺旋管状型（タイプＩＶ，Ｖ）があり、球状型には、空気セル本体１１に側面を貫通する孔１２を設けた形態がある（タイプＩ，ＩＩＩ）。
また、図４に示すように、螺旋環状型（タイプＩＶ，Ｖ）では、螺旋空間部ａの圧縮はソフトな使用感があり、管状部の圧縮ｂは、空気圧と中空構造弾性体の特質から管内部圧力によって使用者の躰を支持して体圧の分散を図ることができ、これにより躰の沈み込みを防ぎ、底付きを無くす効果に基づくハード感を生じるという２段階のクッション効果を得られるのが特徴である。２段階のクッション効果によって特別な制御機構を設けることが不要となるため、床ずれ防止マットの構造を簡略化できてコストダウンを図ることができる。空気セル本体１１に側面を貫通する孔１２を設けた形態（タイプＩ，ＩＩＩ）においても同様の２段階のクッション効果を生じるため、コストダウンを図ることができる。
【００２４】
空気セル４には、バネ機能を有する構造体を、図３に示した代表的な形態（タイプＩ〜Ｖ）の枠組みにした後、上述した弾性素材を被覆して内包させた空気セルも含まれる。
【００２５】
図５は、本発明の床ずれ防止マットの構成要素である連通管の床ずれ防止マットにおける配置を示す模式図であり、図６は、本発明の床ずれ防止マットの構成要素である連通管の空気セルとの連結部の構造を示す模式図である。連通管は、千鳥状に成型された樹脂製の管材の内部に、可撓性に優れる簡易埋め込み型の軟質ゴム材を内装したものであり、屈曲部に空気セル４を繋ぐ接続口を設けている。
【００２６】
図７は、本発明の床ずれ防止マットの空気制御２ラインの基本構成を示す模式図である。床ずれ防止マット本体６と、床ずれ防止マット本体６に配設された空気セル（４ａ，４ｂ）に連通管（２，２ａ，２ｂ）を介して空気の給排気を制御する空気制御部３で構成される。空気制御部３は、制御装置３１、空気を給気するメインコンプレッサ３２、全空気量を調整する空気総量調整用コンプレッサ３３、電磁弁３４、信号配線３５、圧力センサー（３６ａ，３６ｂ）で構成される。
床ずれ防止マット本体６には、千鳥状に配管された連通管（２ａ，２ｂ）に複数の空気セル（４ａ，４ｂ）が繋がれた空気セル群からなる空気セル系統（９ａ，９ｂ）を構成する。空気セル系統（９ａ，９ｂ）の添え字ａ，ｂは  、同一の圧力センサー（３６ａ，３６ｂ）によって給排気を同じくする空気セル群を示す。
【００２７】
本発明の特徴である空気総量を所定の設定により調整し、次に、空気セル系統ごとの負荷（空気圧）を変動させる床ずれ防止マットの稼働フローを、図８、図９及び図１０に示す実施態様により説明する。
【００２８】
図８は、本発明の床ずれ防止マットの空気制御２ラインの第１の実施態様における稼働フローを示す模式図である。空気総量を１４に、空気セル系統（９ａ，９ｂ）の空気量をそれぞれＡ，Ｂとし、それぞれの空気量を交互に８と６に変動させている。
以下に述べる＜ステップ１＞乃至＜ステップ３＞において、空気総量調整用コンプレッサ３３により全空気量を所定の空気総量に調整して、床ずれ防止マット全体のクッションの柔硬の調整を行う。
電磁弁３４の開放により、圧力の高い他の空気セル系統（例、９ａに対する９ｂ、または、９ｂに対する９ａ）からの空気量補充と、外部空気の補充とを併用することで、空気セル系統への給気を、コンプレッサからの給気だけではなく、他の空気セル系統からの給気によっても行えるため、コンプレッサの稼働を短くすることができて騒音を低減できる。また、他の空気セル系統の空気セルに充填された空気をすべて排出することがないため、空気セルの収縮が少ないため、使用感が良くなる。
【００２９】
以下の＜ステップ１＞から＜ステップ４＞を繰り返す。
＜ステップ１＞
電磁弁３４を開放し、空気セル系統（９ａ，９ｂ）の空気圧を一定（Ａ：Ｂ＝７：７）にする。次いで、圧力センサー（３６ａ，３６ｂ）により空気圧をチェックし、所定の空気総量に空気総量調整用コンプレッサ３３により空気を補充、または電磁弁３４を解放して空気を排出する。
＜ステップ２＞
電磁弁３４を閉鎖し、メインコンプレッサ３２により、圧力センサー（３６ａ）で空気圧をチェックしながら空気セル系統（９ａ）に、所定空気圧（Ａ＝８）まで空気を圧入する。
このとき、空気セル系統（９ａ）に所定空気圧（Ａ＝８）まで空気を圧入する方法に代え、空気圧差２になるように空気を圧入する方法もある。
＜ステップ３＞
電磁弁３４を開放し、空気セル系統（９ａ，９ｂ）の空気圧を一定（Ａ：Ｂ＝７：７）にする。次いで、圧力センサー（３６ａ，３６ｂ）により空気圧をチェックし、所定の空気総量に空気総量調整用コンプレッサ３３により空気を補充、または電磁弁３４を解放して空気を排出する。
＜ステップ４＞
電磁弁３４を閉鎖し、メインコンプレッサ３２により、圧力センサー（３６ｂ）で空気圧をチェックしながら空気セル系統（９ｂ）に、所定空気圧（Ｂ＝８）まで空気を圧入する。
このとき、空気セル系統（９ａ）に所定空気圧（Ａ＝８）まで空気を圧入する方法に代え、空気圧差２になるように空気を圧入する方法もある。
【００３０】
図９は、本発明の床ずれ防止マットの空気制御２ラインの第２の実施態様における稼働フローを示す模式図である。空気総量を１４に、空気セル系統（９ａ，９ｂ）の空気量をそれぞれＡ，Ｂとし、それぞれの空気量を交互に１０と４に変動させる事例を示す。
稼働フローは、模式図１の空気セル系統（９ａ，９ｂ）の空気圧を一定（Ａ：Ｂ  ＝７：７）とし、空気セル系統（９ａ，９ｂ）の空気量を交互に１０と４にして、＜ス  テップ１＞から＜ステップ４＞を繰り返す。
空気総量が１４で、空気セル系統（９ａ，９ｂ）の空気量がそれぞれ１０と４の場合は、模式図１の空気総量が１４で、空気セル系統（９ａ，９ｂ）の空気量がそれぞれ８と６の空圧差が２のときに比し、メリハリのある使用感を得ることができる。
【００３１】
図１０は、本発明の床ずれ防止マットの空気制御２ラインの第３の実施態様における稼  働フローを示す模式図である。空気総量を１０に、空気セル系統（９ａ，９ｂ）の空気  量をそれぞれＡ，Ｂとし、それぞれの空気量を交互に６と４に変動させた事例を示す。  
稼働フローは、模式図１の空気セル系統（９ａ，９ｂ）の空気圧を一定（Ａ：Ｂ＝５：  ５）とし、空気セル系統（９ａ，９ｂ）の空気量を交互に６と４にして、＜ステップ１  ＞から＜ステップ４＞を繰り返す。
空気総量が１０で、空気セル系統（９ａ，９ｂ）の空気量がそれぞれ６と４の場合は、模式図１の空気総量が１４で、空気セル系統（９ａ，９ｂ）の空気量がそれぞれ８と６の空圧差が２のときに比し、全体的にソフトな使用感を得ることができる。
また、空気総量については図示していないが、一定に固定することなく、所定のタイミ  ングで１４→１０→１４→１０のように調整することもできる。
【００３２】
本発明の床ずれ防止マットは、空気制御を３ライン以上に構成にすることも可能である  が、原理は空気制御が２ライン同じであるので、その詳細の説明・図面については省略  する。
【産業上の利用可能性】
【００３３】
本発明は、重病人や寝たきり老人の褥瘡防止用途、車いす、自動車運転席、飛行機座席など長時間坐る姿勢でのエコノミークラス症候群防止用途において利用可能である。
【符号の説明】
【００３４】
１  床ずれ防止マット
２  連通管
３  空気制御部
３１  制御装置
３２  メインコンプレッサ
３３  空気総量調整用コンプレッサ
３４  電磁弁
３５  信号配線
３６  センサー
４  空気セル
４１  コイルスプリング
４２  コイルスプリング配設空気セル
５  架台
６  床ずれ防止マット本体
９  空気セル系統
１１  中空構造の弾性体からなる空気セル本体
１２  空気セルの側面を貫通する中空孔
【図１】
2018050749.tif 000003
【図２】
2018050749.tif 000004
【図３】
2018050749.tif 000005
【図４】
2018050749.tif 000006
【図５】
2018050749.tif 000007
【図６】
2018050749.tif 000008
【図７】
2018050749.tif 000009
【図８】
2018050749.tif 000010
【図９】
2018050749.tif 000011
【図１０】
2018050749.tif 000012
【手続補正書】
【提出日】平成29年2月2日(2017.2.2)
【手続補正１】
【補正対象書類名】特許請求の範囲
【補正対象項目名】請求項１
【補正方法】変更
【補正の内容】
【請求項１】
中空体構造の弾性体からなる複数の空気セルと、前記空気セルに空気の給排気を行う千鳥状に配列された連通管からなる複数の空気セル系統で構成され、
前記空気セル系統に前記空気セルに前記連通管を介して空気の給排気を行う空気制御部を備える床ずれ防止マットであって、
前記中空体構造の弾性体からなる複数の空気セルは平面方向に並設した空気セル群として構成され、
前記空気制御部は、コンプレッサ、空気セル系統に所定のタイミングで給排気を行うための電磁弁と、前記電磁弁を制御する電磁弁制御部とからなり、
前記空気セル群を連通した状態で、空気総量を任意に設定する手段と、前記手段により設定された空気総量の全部または任意に設定する一部の空気量を、一方の空気セル群から他方の空気セル群へ移送する手段を講じた床ずれ防止マット。
【手続補正２】
【補正対象書類名】明細書
【補正対象項目名】００１１
【補正方法】変更
【補正の内容】
【００１１】
中空体構造の弾性体からなる複数の空気セルと、前記空気セルに空気の給排気を行う千鳥状に配列された連通管からなる複数の空気セル系統で構成され、
前記空気セル系統に前記空気セルに前記連通管を介して空気の給排気を行う空気制御部を備える床ずれ防止マットであって、
前記中空体構造の弾性体からなる複数の空気セルは平面方向に並設した空気セル群として構成され、
前記空気制御部は、コンプレッサ、空気セル系統に所定のタイミングで給排気を行うための電磁弁と、前記電磁弁を制御する電磁弁制御部とからなり、
前記空気セル群を連通した状態で、空気総量を任意に設定する手段と、前記手段により設定された空気総量の全部または任意に設定する一部の空気量を、一方の空気セル群から他方の空気セル群へ移送する手段を講じたことを特徴とする。